(57)【要約】【課題】  上下に立て込まれる上、下段の断熱パネルを容易にしかも堅固に連結することができ、連結バーの複数の連結片は、断熱パネルよりも外側に突出して、そこにアッセンブリタイを係合することで、断熱パネルが欠損することがなく、断熱パネルの強度、特に、上下段の断熱パネルの連結部の強度を高めることができ、しかもアッセンブリタイの組付性がよい。【解決手段】  上下段の断熱パネル１，１を一体に連結するための、連結バーＪであって、上下段の断熱パネル１，１の互いに対向する端面間の水平部１０と、この水平部１０の両端から上下に起立されて、上下段の断熱パネルを挟み込むように保持する上、下差込部１１Ｕ，１１Ｄおよび上、下弾発係合部１２Ｕ，１２Ｄと、上、下弾発係合部１２Ｕ，１２Ｄの外側に張出す複数の連結片１３とよりなり、連結片１３にはアッセンブリタイ２０の差込連結される連結孔１４があけられる。【選択図】    図１
2005325600.tif 000002
【特許請求の範囲】
【請求項１】
上下方向に立て込まれる上下段の断熱パネル（１，１）を一体に連結するための、断熱パネルの連結バー（Ｊ）であって、
上下段の断熱パネル（１，１）の互いに対向する端面に、それらの略全長にわたって当接される水平部（１０）と、この水平部（１０）の一端より上下方向に起立されて、上下段の断熱パネル（１，１）の厚み方向の中間部に形成したスリット（２）にそれぞれ差込固定される上、下差込部（１１Ｕ，１１Ｄ）と、前記水平部（１０）の他端より上下方向に起立されて、上下段の断熱パネル（１，１）の側面にそれぞれ弾発係合される上、下弾発係合部（１２Ｕ，１２Ｄ）と、前記上、下弾発係合部（１２Ｕ，１２Ｄ）の外側に、その長手方向に間隔を存して張出す複数の連結片（１３）とよりなり、前記複数の連結片（１３）には、アッセンブリタイ（２０）の差込連結される連結孔（１４）が穿設されていることを特徴とする、断熱パネルの連結バー。
【請求項２】
前記連結バー（Ｊ）により連結される複数の断熱パネル（１）により形成される建築用型枠（Ｍ）であって、
上下に連結される上下段断熱パネル（１，１）のうち、下段の断熱パネル（１）の上端部に、前記連結バー（Ｊ）を、その下差込部（１１Ｄ）および下弾発係合部（１２Ｄ）により挟持固定し、また、上段の断熱パネル（１）の下端部に、前記連結バー（Ｊ）を、その上差込部（１１Ｕ）および上弾発係合部（１２Ｕ）により挟持固定し、前記連結バー（Ｊ）の複数の連結片（１３）を上下段の断熱パネル（１，１）よりも外方に突出させ、それらの連結片（１３）の連結孔（１４）にアッセンブリタイ（２０）をそれぞれ差込連結したことを特徴とする、建築用型枠。
【発明の詳細な説明】
【技術分野】
【０００１】
本発明は、建築用断熱材もしくは建築用型枠板（コンクリートパネル）として利用可能な、断熱パネルの連結バーおよびその連結バーにより連結される複数の断熱パネルよりなる建築用型枠に関するものである。
【背景技術】
【０００２】
従来、コンクリート躯体を有する建築物において、そのコンクリート躯体を成形する型枠の構築用型枠板（コンクリートパネル）として使用できる外、建築物の構築後は、解体せずにそのままコンクリート壁の補強用建材として使用できるようにした、型枠兼用建材が知られている（たとえば、特許文献１参照）。
【特許文献１】特公昭５２−９７２１９号公報
【発明の開示】
【発明が解決しようとする課題】
【０００３】
ところで、かかる従来の型枠兼用建材は、型枠板を解体する手間が省け、また型枠板を断熱壁などの建材としてそのまま利用できるという利点があるが、その型枠兼用建材が型枠として利用される場合には、それが打設コンクリートの打設圧力に耐えて変形、損傷することがないように補強する必要があって、その重量増を招き、その作業性が悪くなるという問題があった。
【０００４】
そこで、本出願人は、型枠兼断熱建材の主体部分をポリスチレンなどの発泡合成樹脂製の断熱パネルにより構成して軽量化と高断熱性を確保しながらその強度を大幅に高め、型枠板として使用して型枠を組み付けるときに、損傷、破損することがなく、特にコンクリートの打設時のコンクリート側圧による型枠板の損傷、たわみを防止し、型枠板として組み付けるときの組付性を大幅に高めることができるように型枠兼断熱パネルを既に提案している（特願２００３−４０５３０９号）。
【０００５】
本発明は、かかる型枠兼用断熱パネルを上下方向に立て込んだとき、それらを連結するための断熱パネルの連結バーにおいて、上下の断熱パネルの組付施工性に優れ、かつ断熱パネル自体に欠損を生じることなく、それらを強固に連結することができるようにした、新規な断熱パネルの連結バーを提供することを目的とする。
【０００６】
また、本発明は連結バーにより連結される断熱パネルよりなる建築用型枠であって、堅牢で、構成簡単であり、コンクリートの円滑な流れを保障してその充填性を高めるようにした、新規な建築用型枠を提供することを他の目的とする。
【課題を解決するための手段】
【０００７】
上記目的を達成するために、請求項１記載の発明は、上下方向に立て込まれる上下段の断熱パネルを一体に連結するための、断熱パネルの連結バーであって、
上下段の断熱パネルの互いに対向する端面に、それらの略全長にわたって当接される水平部と、この水平部の一端より上下方向に起立されて、上下段の断熱パネルの厚み方向の中間部に形成したスリットにそれぞれ差込固定される上、下差込部と、前記水平部の他端より上下方向に起立されて、上下段の断熱パネルの側面にそれぞれ弾発係合される上、下弾発係合部と、前記上、下弾発係合部の外側に、その長手方向に間隔を存して張出す複数の連結片とよりなり、前記複数の連結片には、アッセンブリタイの差込連結される連結孔が穿設されていることを特徴としている。
【０００８】
また、上記他の目的を達成するために、請求項２記載の発明は、前記連結バーにより連結される複数の断熱パネルにより形成される建築用型枠であって、
上下に連結される上下段の断熱パネルのうち、下段の断熱パネルの上端部に、前記連結バーを、その下差込部および下弾発係合部により挟持固定し、また、上段の断熱パネルの下端部に、前記連結バーを、その上差込部および上弾発係合部により挟持固定し、前記連結バーの複数の連結片を上下段の断熱パネルよりも外方に突出させ、それらの連結片の連結孔にアッセンブリタイをそれぞれ差込連結したことを特徴としている。
【発明の効果】
【０００９】
本請求項１記載の発明によれば、上下に立て込まれる上、下段の断熱パネルを容易にしかも堅固に連結することができ、また連結バーの複数の連結片は、断熱パネルよりも外側に突出しており、そこにアッセンブリタイが係合されるので、このアッセンブリタイの係合によって断熱パネルが欠損することがなく、断熱パネルの強度、特に、上下段の断熱パネルの連結部の強度を高めることができ、しかもアッセンブリタイの組付性がよい。
【００１０】
また、本請求項２記載の発明によれば、連結バーの複数の連結片は、連結バーの長手方向に間隔をあけて突設されているので、コンクリート打設空間に打設されるコンクリートは、連結バーの存在により、その流れが阻害されることがなく、コンクリートは上、下段の断熱パネル１の連結部のところで連続流となって円滑に流れて、コンクリート打設空間へのコンクリートの充填効率を高めると共に巣の発生を防止することができる。さらに、複数の連結片は、コンクリートの打設空間内にあって、断熱パネルに対するコンクリートとの接着面積を実質的に拡大させることができ、断熱パネルにコンクリートとの接着面積を拡大するための凹凸やメッシュを形成する必要がない。
【発明を実施するための最良の形態】
【００１１】
以下、本発明の実施の形態を、添付図面に例示した本発明の実施例に基づいて以下に具体的に説明する。
【００１２】
図１は、本発明連結バーを取り付けた断熱パネルの一部破断斜視図、図２は、図１の２矢視図、図３は、図２の３−３線に沿う断面図、図４は、図３の４矢視仮想線囲い部分の拡大図、図５は、断熱パネルにより組み立てられた建築用型枠の断面図である。
【００１３】
図１〜４において、断熱パネル１は、硬質の断熱合成樹脂材により、全体が横長の長方形の板状に形成されており、その上端面１ｕには、本発明にかかる連結バーＪが、該断熱パネルの全長にわたり固定される。
【００１４】
前記断熱パネル１は、高断熱性であり、しかも軽量であるポリスチレン、ポリウレタンなどの硬質の発泡合成樹脂材により構成され、たとえば、その密度が２０〜４０ｋｇ／m3であり、その厚さが約５０ｍｍである。前記断熱パネル１の外面１ｏおよび内面１ｉは、いずれも平坦面に形成されている。また、断熱パネル１の上端面１ｕおよび下端面１ｄには、その全長にわたりその厚み方向の中間部にスリット２が形成される。
【００１５】
つぎに、図１〜４により、本発明にかかる連結バーＪの構造について説明する。
【００１６】
この連結バーＪは、亜鉛鋼板などの金属板により形成され、断熱パネル１の長手方向の長さと略同じ長さにを有しており、平坦な板状に形成される水平部１０と、この水平部１０の一端（図３，４左端）より上下方向に略直角に対称的に起立形成される上、下差込部１１Ｕ，１１Ｄと、前記水平部１０の他端（図３，４右端）より上下方向に略直角に対称的に起立形成される上、下弾発係合部１２Ｕ，１２Ｄとを備えて横断面Ｈ状に形成され、さらに、上，下弾発係合部１２Ｕ，１２Ｄの境界部の外面から外側に、その長手方向の間隔をあけて複数の連結片１３…が略水平に突設される。これらの連結片１３…は、前記水平部１０の延長上にあって平面視梯形状に形成され、それの中央部に、アッセンブリタイ２０の連結孔１４…がそれぞれ穿設されている。
【００１７】
図４に明瞭に示すように、前記水平部１０は、断熱パネル１の厚み幅よりも幅狭に形成されて、断熱パネル１が立て込まれるとき、それらの上端面１ｕと下端面１ｄとの間に当接挟持される。また、前記上、下差込部１１Ｕ，１１Ｄは、それらの先端に鋸歯状の抜止め歯１１ｔが一体に形成され、断熱パネル１のスリット２に差し込み結合される際に、抜止め歯１１ｔはスリット２に食い込んでその抜け出しが防止される。さらに前記上、下弾発係合部１２Ｕ，１２Ｄは、板状に形成されており、その自由状態では、断熱パネルの外面に弾発係合すべく、内方に向けて若干傾斜しており、それの自由端には、外側に向けて若干拡開される案内部１２ｇが形成されている。
【００１８】
前記連結バーＪは、予め工場などで断熱パネル１の一端面に固定しておく。この固定状態では、図４に示すように、連結バーＪの一方の下差込部１１Ｄは、断熱パネル１のスリット２内に差し込み固定される共にその一方の下弾発係合部１２Ｄが断熱パネル１の外面に弾発係合され、さらに、その水平部１０は、断熱パネル１の上端面１ｕに当接される。この場合、断熱パネル１と連結バーＪ間には、接着剤１６が介在されて、両者を接着する。
【００１９】
以上のように、一端面（上端面）に連結バーＪを固定した断熱パネル１は、建築現場などに搬送されて、建築用型枠Ｍの組み付けに供される。
【００２０】
図５に示すように、前記連結バーＪは、互いに上下方向に直列して立て込まれる上下段の断熱パネル１，１（図５において、上段の断熱パネル１に添字（Ｕ）を、下段の断熱パネル１に添字（Ｄ）を付す）を一体に結合する結合部材として利用され、さらに、複数枚の断熱パネル１…により建築用型枠Ｍを組み付ける際に、コンクリートの打設空間Ｓを存して互いに対峙される断熱パネル１，１同志を結合するアッセンブリタイ２０の差込係合金具として利用される。
【００２１】
つぎに、図５を参照して、断熱パネル１を用いて、建築用型枠（コンクリート型枠）Ｍを組み付ける場合について説明する。
【００２２】
建築用型枠Ｍは、基礎Ｂ上に、コンクリート打設空間Ｓを存して互いに平行に設置される内、外側の断熱パネル１…により構成されている。
【００２３】
下段の断熱パネル１（Ｄ）に、上段の断熱パネル１（Ｕ）を建て込み連結するに際しては、前述のように予め連結バーＪを固定した下段の断熱パネル１（Ｄ）を、図３に示すように、鉛直状態に保持し、そこに上段の断熱パネル１（Ｕ）を立て込む。このとき、上段の断熱パネル１（Ｕ）のスリット２は、連結バーＪの上差込部１１Ｕに差込み固定されると同時に該断熱パネル１（Ｕ）の下部外面には、連結バーＪの上弾発係合部１２Ｕが弾発係合され、上段の断熱パネル１（Ｕ）は、上差込部１１Ｕと上弾発係合部１２Ｕとで挟み込まれようにして保持されるので自立し易く、その建て込み施工性がよい。また、上弾発係合部１２Ｕの外側に広がる案内片１２ｇは、断熱パネル１（Ｕ）を、連結バーＪへ案内して、建て込み易くしている。
【００２４】
この建て込み状態で、互いに対応する各段の断熱パネル１（Ｕ），１（Ｕ）；１（Ｄ），１（Ｄ）同士は、連結バーＪの複数の連結片１３…の連結孔１４…にアッセンブリタイ２０の両端をそれぞれ差し込み係合することにより一体に連結される。
【００２５】
そして、内、外側の断熱パネル１…間のコンクリート打設空間Ｓに、図５に示すように、コンクリートを打設することにより、建築物のコンクリート躯体が成形される。
【００２６】
ところで、複数の連結片１３…は、断熱パネル１よりも外側（打設空間Ｓ内）に突出しており、そこにアッセンブリタイ２０が係合されるので、このアッセンブリタイ２０の係合によって断熱パネル１が欠損することがなく、断熱パネル１の強度、特に、上、下段の断熱パネル１（Ｕ），１（Ｄ）の連結部の強度を高めることができ、しかもアッセンブリタイ２０の組付性がよい。また、連結バーＪの複数の連結片１３…は、その長手方向に間隔をあけて突設されるので、コンクリート打設空間Ｓに打設されるコンクリートは、連結バーＪの存在により、その流れが阻害されることがなく、コンクリートは上、下段の断熱パネル１（Ｕ），１（Ｄ）の連結部のところでも連続流となって円滑に流れて、コンクリート打設空間Ｓへのコンクリートの充填効率を高めると共に巣の発生を防止することができる。さらに、複数の連結片１３…は、コンクリートの打設空間内にあって、断熱パネル１に対するコンクリートの接着面積を実質的に拡大させることができ、断熱パネル１にコンクリートとの接着面積を拡大するための凹凸やメッシュを形成する必要がない。
【００２７】
コンクリート躯体の成形完了後は、内、外側の断熱パネル１…は、そのまま断熱建材として使用でき、その際にそれらの平坦な外面１ｏには、モルタルなどの湿式外装材、あるいはタイルなどの乾式外装材を積層するのが容易である。また、内、外側の断熱パネル１…は、コンクリート躯体から解体して通常の型枠板として再利用することもできる。
【００２８】
以上、本発明の実施例について説明したが、本発明はその実施例に限定されることなく、本発明の範囲内で種々の実施例が可能である。
【図面の簡単な説明】
【００２９】
【図１】本発明連結バーを取り付けた断熱パネルの一部破断斜視図
【図２】図１の２矢視図
【図３】図２の３−３線に沿う断面図
【図４】図３の４矢視仮想線囲い部分の拡大図
【図５】断熱パネルにより組み立てられた建築用型枠の断面図
【符号の説明】
【００３０】
１・・・・・・・・・・・断熱パネル
１ｕ・・・・・・・・・・上端面
１ｌ・・・・・・・・・・下端面
２・・・・・・・・・・・スリット
１０・・・・・・・・・・水平部
１１Ｕ，１１Ｄ・・・・・上、下差込部
１２Ｕ，１２Ｄ・・・・・上、下弾発係合部
１３・・・・・・・・・・連結片
１４・・・・・・・・・・連結孔
２０・・・・・・・・・・アッセンブリタイ
Ｊ・・・・・・・・・・・連結バー
Ｍ・・・・・・・・・・・建築用型枠
【図１】
2005325600.tif 000003
【図２】
2005325600.tif 000004
【図３】
2005325600.tif 000005
【図４】
2005325600.tif 000006
【図５】
2005325600.tif 000007